(57)【要約】【課題】少ない工数と部品点数で、低コストに工事ができる吊り下げ支持具を提供すること。【解決手段】天井面の下方に被支持体を吊り下げ支持するための吊り下げ支持具であって、金属板で一体的に形成され、一端側にネジ穴が設けられた帯板部と、該帯板部の他端側に屈曲可能に形成され、天井面に下方から棒状固定体の貫通によって固定される取付け板部とを備え、該天井面に棒状固定体の貫通によって固定された前記取付け板部から屈曲された前記帯板部の前記ネジ穴に対するネジ止めにより被支持体を吊り下げ支持する。【選択図】図１
2009085366.tif 000002
【特許請求の範囲】
【請求項１】
天井面の下方に被支持体を吊り下げ支持するための吊り下げ支持具であって、
金属板で一体的に形成され、一端側にネジ穴が設けられた帯板部と、該帯板部の他端側に屈曲可能に形成され、天井面に下方から棒状固定体の貫通によって固定される取付け板部とを備え、
該天井面に棒状固定体の貫通によって固定された前記取付け板部から屈曲された前記帯板部の前記ネジ穴に対するネジ止めにより被支持体を吊り下げ支持することを特徴とする吊り下げ支持具。
【請求項２】
前記帯板部には、その長さ方向に沿ってスリットが形成され、該スリットにより曲げおよび捩れ変形自在に形成されていることを特徴とする請求項1記載の吊り下げ支持具。
【発明の詳細な説明】
【技術分野】
【０００１】
本発明は天井面から被支持体を吊り下げ支持するための吊り下げ支持具において、特にアウトレットボックスや各種感知器等の被支持体を、少ない部品と工数で吊り下げ支持できるようにするための技術に関する。
【背景技術】
【０００２】
ビルディング、工場、倉庫、駅舎、その他建造物における配管、配線工事において、その配管や配線の中継に使用されるアウトレットボックスや各種感知器等を、コンクリートの打設により形成された天井面から吊り下げた状態で支持する場合がある。
【０００３】
このような被支持体をコンクリート打設により形成された天井面から吊り下げる構造として、天井面に一端側を固定された吊りボルトを用いた方法が従来からあった。
【０００４】
即ち、図７に示すように、天井面を構成するデッキプレート１に穴１ａをあけ、この穴１ａに上側からインサート２を打ち込んでインサート２の下部２ａがデッキプレート１の下側に露呈するようにし、次に、デッキプレート１の上側にコンクリート３を打設する。
【０００５】
コンクリート打設後、インサート２のネジ穴２ｂに下側から吊りボルト４の上端部をネジ込んで固定する。
【０００６】
そして、図８に示すように、例えばアウトレットボックス１０の背面板１０ａとコの字状に屈曲形成された固定金具５とで吊りボルト４を挟んだ状態にし、アウトレットボックス１０の内側から背面板１０ａに設けられた穴１１を介して、固定金具５の両端のネジ穴５ａ、５ｂにネジ６、７を締め付けて、アウトレットボックス１０を吊りボルト４に接した状態で固定する。
【発明の開示】
【発明が解決しようとする課題】
【０００７】
しかしながら、このような従来の方法では、（イ）インサート２のデッキプレート１の穴１ａへの打込み、（ロ）インサート２への吊りボルト４の取付け、（ハ）固定金具５の取付け、という作業が必要で、施工に手間がかかり、多大な時間がかかっていた。
【０００８】
また、上記のように吊りボルト４と固定金具５を用いた方法は、複数の被支持体を１本の吊りボルトに支持する場合には有利であるが、アウトレットボックスや感知器を一つだけ支持すればよい場合には、過剰設計であって、部品点数および工数の点でコスト高となり、大型ビルディングでは無数の箇所にこの施工を行わなければならないため、施工者にとって大変な負担となっていた。
【０００９】
本発明は、上記問題を解決し、少ない工数と部品点数で、低コストに工事ができる吊り下げ支持具を提供することを目的としている。
【課題を解決するための手段】
【００１０】
前記目的を達成するために、本発明の請求項１の吊り下げ支持具は、
天井面の下方に被支持体を吊り下げ支持するための吊り下げ支持具であって、
金属板で一体的に形成され、一端側にネジ穴が設けられた帯板部と、該帯板部の他端側に屈曲可能に形成され、天井面に下方から棒状固定体の貫通によって固定される取付け板部とを備え、該天井面に棒状固定体の貫通によって固定された前記取付け板部から屈曲された前記帯板部の前記ネジ穴に対するネジ止めにより被支持体を吊り下げ支持することを特徴としている。
【００１１】
また、本発明の請求項２の吊り下げ支持具は、請求項１記載の吊り下げ支持具において、
前記帯板部には、その長さ方向に沿ってスリットが形成され、該スリットにより曲げおよび捩れ変形自在に形成されていることを特徴としている。
【発明の効果】
【００１２】
このように構成されているため、本発明の請求項１の吊り下げ支持具では、天井面に前記取付け板部を下方から棒状固定体の貫通させて固定し、前記取付け板部から屈曲され帯板部のネジ穴にネジ止めすることで被支持体を吊り下げ支持でき、少ない工程、部品数で低コストに工事することができる。
【００１３】
また、本発明の請求項２の吊り下げ支持具は、帯板部にスリットが設けられていて捩れ、曲げの変形が自在なので被支持体の姿勢の変更や修正を簡単に行える。
【発明を実施するための最良の形態】
【００１４】
以下、図面に基づいて本発明の実施の形態を説明する。
図１は、コンクリートを打設することにより形成される天井面からアウトレットボックス等の被支持体を吊り下げ支持するための実施形態の吊り下げ支持具２０を示している。
【００１５】
図１に示すように、この吊り下げ支持具２０は、金属平板でプレス加工などによって一体的に形成され、一端側にネジ穴２１が設けられた帯板部２２と、この帯板部２２の上端側に屈曲可能に形成され、天井面に下方から棒状固定体の貫通によって固定される取付け板部２３を備えている。棒状固定体とは、例えば、鋲打ち機による鋲、あるいはネジ、あるいは釘等である。
【００１６】
帯板部２２と取付け板部２３の境界部２４の両側には切込み２５ａ、２５ｂが設けてあり、このためこの境界部２４において、作業者が手の力で任意の角度に屈曲することが可能になっている。
あるいはこの切込み２５ａ、２５ｂの代わりに、境界部２４に沿って境界部２４の中央部に長穴（図示せず）を設けることによって、この境界部２４において作業者が手の力で任意の角度に屈曲することが可能にしてもよい。
【００１７】
この境界部２４において帯板部２２は鋲打ち作業の邪魔にならないように、取付け板部２３に対して９０°よりも小さい角度（例えば４５°）に予め屈曲してある。
取付け板部２３は鋲打ち作業によって鋲が貫通できる厚さ、あるいはネジ、釘が貫通できる厚さにされているが、鋲が貫通しやすいように取付け板部２３の中央に鋲の直径よりも小さな直径の穴あるいは薄肉部を設けてもよい。
【００１８】
帯板部２２の中央には、その長さ方向（上下方向）に沿って所定幅のスリット２７が形成されており、このスリット２７により帯板部２２は、作業者の比較的弱い手の力で、図５に示す曲げおよび図６に示す捩れ変形が自在となっている。
【００１９】
次に、この吊り下げ支持具の使用について説明する。
図２に示すように、コンクリート打設によって形成された天井面３０に、下側から作業者の一方の手に持った吊り下げ支持具の取付け板部を押し当てて、他方の手に持ったガス式などの鋲打ち機４０の鋲噴出先端部４１を取付け板部に下側から押し付けて鋲打ちして、鋲（棒状固定体）４２を取付け板部２３を貫通させ、さらにコンクリート３１の内部に貫入させることによって、取付け板部２３は天井面３０に固定される。
このように固定した後、境界部２４において帯板部２２を手でほぼ９０°に屈曲させる。
【００２０】
なお、鋲の代わりにネジ、あるいは釘等を取付け板部２３を貫通させ、さらにコンクリート３１の内部に貫入させることによって、取付け板部２３を天井面３０に固定してもよい。
【００２１】
そして、この状態で図６に示すように、電線管の中継等に使用するための図８に示すようなアウトレットボックス１０の背面板１０ａを帯板部２２に接した状態とし、アウトレットボックス１０の内側からネジ２６を背面板１０ａのネジ穴１１（図８参照）を通過させて帯板部２２のネジ穴２１に螺着することで、図５のようにアウトレットボックス１０を吊り下げ支持できる。
【００２２】
このように実施形態の吊り下げ支持具２０を用いれば、前記した吊りボルトと固定金具を用いた従来方法に比べて、少ない部品と工数でアウトレットボックス１０を吊り下げ支持でき、低コストにしかも短時間で工事できる。
【００２３】
また、この実施形態の吊り下げ支持具２０の帯板部２２にはスリット２７が設けられているので、例えば、図６に示すように帯板部２２を捩じったり、図５に示すように帯板部２２を折り曲げる、あるいは両者を併用することで、コンクリート打設後であっても、被支持体であるアウトレットボックス１０の向きを簡単に変更あるいは修正することができる。
【００２４】
また、上記実施形態では、被支持体がアウトレットボックス１０の場合について説明したが、帯板部２２のネジ穴２１に対するネジ止めで支持可能なものであれば被支持体は任意である。
【００２５】
また、上記例のように被支持体を直接ネジ止めして支持する方法だけでなく、支持板２１と被支持体との間に他の部材を介在させてもよい。
【００２６】
また、帯板部２２のスリット２７を利用して被支持体をスリット２７の長さ方向の位置を選んで支持したり、あるいは長さ方向の位置を可変に支持することもできる。
【図面の簡単な説明】
【００２７】
【図１】本発明の実施形態の斜視図
【図２】同実施形態の吊り下げ支持具を用いた作業を説明するための図
【図３】同実施形態の吊り下げ支持具を用いた作業を説明するための図
【図４】同実施形態の吊り下げ支持具を用いてアウトレットボックスを支持した状態を示す図
【図５】同実施形態の吊り下げ支持具を用いた作業を説明するための図
【図６】同実施形態の吊り下げ支持具を用いた作業を説明するための図
【図７】従来の吊り下げ支持構造を示す図
【図８】従来の吊り下げ支持構造を示す図
【符号の説明】
【００２８】
２０……吊り下げ支持具、２２……帯板部、２３……取付け板部、２４……境界部
２７……スリット、４１……鋲噴出先端部、４２……鋲
【図１】
2009085366.tif 000003
【図２】
2009085366.tif 000004
【図３】
2009085366.tif 000005
【図４】
2009085366.tif 000006
【図５】
2009085366.tif 000007
【図６】
2009085366.tif 000008
【図７】
2009085366.tif 000009
【図８】
2009085366.tif 000010